(57)【要約】【課題】利用者に応じてコンテンツの再生態様を変更できるコンテンツ再生装置、及びコンテンツ再生方法を提供する。【解決手段】コンテンツ再生装置は、利用者端末から要求情報を取得すると、要求情報に含まれるコンテンツ識別子と、当該利用者端末を示す利用者端末識別子とを、対応付けて記憶部にキュー情報として記憶させる。キュー情報では、コンテンツ識別子及び利用者端末識別子は、さらに、設定情報取得部が取得する設定情報に対応付けられる。この設定情報は、利用者が設定したコンテンツ再生に係る情報である。利用者端末は、コンテンツの再生の設定の情報を用いず、コンテンツ再生装置は、キュー情報のコンテンツ識別子に対応する設定情報を用いる。すなわち、本発明のコンテンツ再生装置は、利用者端末の利用者が設定した設定情報に従って、コンテンツを再生することができる。【選択図】図５
2016126222.tif 000002
【特許請求の範囲】
【請求項１】
複数の利用者端末からの要求情報に基づいてコンテンツ識別子と利用者端末識別子とを対応付けて順次記憶する記憶部と、
コンテンツの再生状況に従い、前記記憶部に記憶されたコンテンツ識別子に対応付けられた利用者端末にコンテンツ識別子に対応するコンテンツの再生を指示し、再生されたコンテンツを取得するコンテンツ取得部と、
コンテンツの再生の設定情報であって、前記利用者端末から出力された前記設定情報を取得する設定情報取得部と、
前記設定情報取得部が取得した設定情報に従って、前記コンテンツ取得部が取得するコンテンツを再生する再生部と、
を備えるコンテンツ再生装置。
【請求項２】
前記設定情報取得部は、前記コンテンツ取得部が取得するコンテンツに対応する前記設定情報を取得し、
前記再生部は、前記コンテンツ取得部が取得するコンテンツに対応する前記設定情報に従って、該コンテンツを再生する、
請求項１に記載のコンテンツ再生装置。
【請求項３】
前記設定情報取得部は、前記利用者端末の利用者に対応する前記設定情報を取得し、
前記再生部は、前記利用者に対応する前記設定情報よりも前記コンテンツに対応する前記設定情報を優先的に適用し、前記コンテンツ取得部が取得するコンテンツを再生する、
請求項２に記載のコンテンツ再生装置。
【請求項４】
コンテンツの再生の第２の設定情報を記憶する記憶部をさらに備え、
前記再生部は、前記設定情報取得部が前記設定情報を取得できない場合、前記記憶部から前記第２の設定情報を読み出し、該第２の設定情報に従って、前記コンテンツ取得部が取得するコンテンツを再生する、
請求項１〜３のいずれかに記載のコンテンツ再生装置。
【請求項５】
前記設定情報は、コンテンツの音に対する音響処理に用いられるパラメータを含み、
前記再生部は、再生対象となるコンテンツの音に対して、前記設定情報に含まれるパラメータを用いて音響処理を行う音響処理部を有する、
請求項１〜４のいずれかに記載のコンテンツ再生装置。
【請求項６】
前記設定情報取得部で取得される設定情報であって第１の利用者端末から出力された前記設定情報を、前記第１の利用者端末と異なる第２の利用者端末へ出力する設定情報出力部をさらに備える、
請求項１〜５のいずれかに記載のコンテンツ再生装置。
【請求項７】
コンテンツを再生するコンテンツ再生方法であって、
複数の利用者端末からの要求情報に基づいてコンテンツ識別子と利用者端末識別子とを対応付けて順次記憶するステップと、
コンテンツの再生状況に従い、記憶されたコンテンツ識別子に対応付けられた利用者端末にコンテンツ識別子に対応するコンテンツの再生を指示し、再生されたコンテンツを取得するステップと、
コンテンツの再生の設定情報であって、前記利用者端末から出力された前記設定情報を取得するステップと、
取得した前記設定情報に従って、取得した前記コンテンツを再生するステップと、
を実行するコンテンツ再生方法。
【発明の詳細な説明】
【技術分野】
【０００１】
本発明は、コンテンツを取得し、取得したコンテンツを設定情報に従って再生するコンテンツ再生装置に関する。
【背景技術】
【０００２】
従来より、コンテンツを取得し、取得したコンテンツを再生するコンテンツ再生装置が知られている。例えば、特許文献１には、コンテンツとして音声データを記憶する３台のソース機器（利用者端末）と、各ソース機器から取得した音声データを再生するシンク機器（コンテンツ再生装置）とが開示されている。すなわち、特許文献１に記載のコンテンツ再生装置は、各利用者端末の各利用者に共有で使用されている。
【０００３】
また、従来より、コンテンツの再生態様を変更するために、設定情報に基づいて再生対象となるコンテンツに処理を行うことが知られている。例えば、コンテンツの音声データに対する音響処理として、音場効果がある。音場効果とは、コンサートホール等の音響空間で発生する反射音を模擬した擬似反射音を出力することで、部屋に居ながらにして実際のコンサートホール等の別の空間に居るような臨場感を聴取者に体感させるものである。疑似反射音は、コンテンツ再生装置に記憶される設定情報（音声信号の遅延量、及びレベル比等）に基づいて生成される。
【先行技術文献】
【特許文献】
【０００４】
【特許文献１】国際公開第２０１２／１１７４５２号公報
【発明の概要】
【発明が解決しようとする課題】
【０００５】
利用者が所望する再生態様は、利用者によって異なる場合がある。しかし、特許文献１に記載のコンテンツ再生装置は、自装置に記憶されている設定情報に基づいて再生時の再生態様を決定する。従って、特許文献１に記載のコンテンツ再生装置は、利用者毎に再生態様を変更することができない。
【０００６】
そこで、本発明の目的は、利用者に応じてコンテンツの再生態様を変更できるコンテンツ再生装置、及びコンテンツ再生方法を提供することにある。
【課題を解決するための手段】
【０００７】
本発明のコンテンツ再生装置は、複数の利用者端末からの要求情報に基づいてコンテンツ識別子と利用者端末識別子とを対応付けて順次記憶する記憶部と、コンテンツの再生状況に従い、前記記憶部に記憶されたコンテンツ識別子 に対応付けられた利用者端末にコンテンツ識別子に対応するコンテンツの再生を指示し、再生されたコンテンツを取得するコンテンツ取得部と、コンテンツの再生の設定情報であって、前記利用者端末から出力された前記設定情報を取得する設定情報取得部と、前記設定情報取得部が取得した設定情報に従って、前記コンテンツ取得部が取得するコンテンツを再生する再生部と、を備える。
【０００８】
本発明では、コンテンツ再生装置は、スピーカを備えるオーディオ再生装置、及び表示器を備える映像再生装置に限らず、取得したコンテンツの音声信号をスピーカへ出力し、当該コンテンツの映像信号を表示器へ出力するＡＶレシーバであってもよい。
【０００９】
設定情報とは、例えば、コンテンツに含まれる音声データに対するイコライズ情報、仮想音源の位置情報、及び音場効果の種類情報である。無論、設定情報には、映像データに対する画質モード情報、及びコントラスト情報が含まれてもよい。
【００１０】
例えば、記憶部は、複数の利用者端末からの要求情報に基づいたキュー情報を記憶する。具体的には、コンテンツ再生装置は、利用者端末から要求情報を取得すると、要求情報に含まれるコンテンツ識別子と、当該利用者端末を示す利用者端末識別子とを、対応付けて記憶部にキュー情報として記憶させる。キュー情報では、コンテンツ識別子及び利用者端末識別子は、さらに、設定情報取得部が取得する設定情報に対応付けられる。この設定情報は、利用者端末において利用者が設定したコンテンツ再生に係る情報である。
【００１１】
キュー情報のコンテンツ識別子に示すコンテンツを再生する際、利用者端末は、コンテンツ再生の設定の情報を用いず、コンテンツ再生装置は、キュー情報のコンテンツ識別子に対応する設定情報を用いる。すなわち、本発明では、コンテンツ再生装置は、利用者端末の利用者が設定した設定情報に従ってコンテンツを再生することができる。
【００１２】
ただし、本発明は、コンテンツ再生装置に限らず、コンテンツ再生方法であっても構わない。
【発明の効果】
【００１３】
本発明のコンテンツ再生装置、及びコンテンツ再生方法は、利用者に応じてコンテンツの再生態様を変更することができる。
【図面の簡単な説明】
【００１４】
【図１】実施形態１に係るコンテンツ再生システムの概要を説明するための図である。
【図２】（Ａ）は、ＡＶレシーバの構成の一部を示すハードウェアブロック図であり、（Ｂ）は、スマートフォンの構成の一部を示すハードウェアブロック図である。
【図３】ＡＶレシーバの構成の一部を示す機能ブロック図である。
【図４】キュー情報の一例を示す図である。
【図５】ＡＶレシーバ及び利用者端末の動作を示すフローチャートである。
【図６】ＡＶレシーバ及び利用者端末の動作を示すフローチャートである。
【図７】（Ａ）は、自宅におけるＡＶレシーバの設置を示す平面模式図であり、（Ｂ）は、外出先におけるＡＶレシーバの設置を示す平面模式図である。
【図８】実施形態２に係るコンテンツ再生システムのＡＶレシーバの構成の一部を示す機能ブロック図である。
【図９】ＡＶレシーバ及び２台の利用者端末の動作を示すフローチャートである。
【発明を実施するための形態】
【００１５】
実施形態１に係るコンテンツ再生システム９００について、図１、及び図２を用いて説明する。図１は、コンテンツ再生システム９００の概要を説明するための図である。図２（Ａ）は、ＡＶレシーバ１００の構成の一部を示すハードウェアブロック図であり、図２（Ｂ）は、スマートフォン３０１の構成の一部を示すハードウェアブロック図である。
【００１６】
図１に示すように、コンテンツ再生システム９００は、ＡＶレシーバ１００と、２台のスピーカ２００Ｌ，及び２００Ｒと、３台のスマートフォン３０１，３０２，及び３０３と、を備える。ＡＶレシーバ１００と、各スマートフォン３０１，３０２，及び３０３とは、例えば無線ＬＡＮ規格で接続される。ＡＶレシーバ１００は、コンテンツ再生装置に相当する。各スマートフォン３０１，３０２，及び３０３は、利用者端末に相当する。
【００１７】
コンテンツ再生システム９００では、ＡＶレシーバ１００は、各スマートフォン３０１，３０２，及び３０３から送信されたコンテンツデータと設定情報とを受信し、受信した設定情報に従った再生態様で、受信したコンテンツデータを再生する。本実施形態では、コンテンツデータを楽曲データとして説明するが、コンテンツデータは楽曲データに限らず映像データであってもよい。本実施形態では、楽曲データは、音声データと、付加データ（楽曲名、楽曲ＩＤ、アーティスト名、及びデータサイズ等の楽曲関連情報）とを含むものとして説明する。
【００１８】
図２（Ｂ）に示すように、スマートフォン３０１は、タッチパネル３１と、ディスプレイ３２と、プロセッサ３３と、メモリ３４と、無線モジュール３５とを備えている。スマートフォン３０１のプロセッサ３３は、各構成を統括的に制御する。スマートフォン３０１の無線モジュール３５は、無線ＬＡＮ規格による情報の送受信を実現する。スマートフォン３０１のタッチパネル３１は、利用者からの操作入力の受け付けを実現する。スマートフォン３０１は、タッチパネル３１とディスプレイ３２とでＧＵＩ（Ｇｒａｐｈｉｃａｌ  Ｕｓｅｒ  Ｉｎｔｅｒｆａｃｅ（登録商標））を実現する。スマートフォン３０１のメモリ３４は、コンテンツとして楽曲データを記憶する。
【００１９】
スマートフォン３０２，及び３０３は、スマートフォン３０１と同様に、それぞれＧＵＩを実現する。スマートフォン３０２，及び３０３は、スマートフォン３０１と同様に、楽曲データを記憶する。
【００２０】
図２（Ａ）に示すように、ＡＶレシーバ１００は、ＣＰＵ（Ｃｅｎｔｒａｌ  Ｐｒｏｃｅｓｓｉｎｇ  Ｕｎｉｔ）１と、メモリ２と、ＤＳＰ（Ｄｉｇｉｔａｌ  Ｓｉｇｎａｌ  Ｐｒｏｃｅｓｓｏｒ）３と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）４と、無線モジュール５と、ＡＭＰ（Ａｍｐｌｉｆｉｅｒ）６と、を備える。各構成は、共通のＢＵＳに接続される。
【００２１】
ＤＳＰ３は、音声データに対する各種音響処理のためのプロセッサである。ＨＤＭＩ４は、コンテンツデータを送受信するためのインターフェースである。無線モジュール５は、例えば無線ＬＡＮ規格の通信を実現するための回路モジュールである。ＡＭＰ６は、音声信号を増幅する回路である。
【００２２】
メモリ２は、キュー情報と、設定情報と、プログラムとを記憶する。キュー情報及び設定情報は後述する。ＣＰＵ１は、メモリ２からプログラムを読み出し、読み出したプログラムを実行する。ＡＶレシーバ１００の各機能部は、当該プログラムの実行により実現される。
【００２３】
次に、ＡＶレシーバ１００の各機能部について図３を用いて説明する。図３は、ＡＶレシーバ１００の構成の一部を示す機能ブロック図である。
【００２４】
図３に示すように、ＡＶレシーバ１００は、コンテンツ取得部１０と、設定情報取得部１１と、再生要求取得部１２と、キュー管理部１３と、再生部２０と、を機能部として備える。なお、図３において実線は音声データの流れを示し、点線は音声データ以外の情報（設定情報等）の流れを示す。
【００２５】
設定情報取得部１１は、無線ＬＡＮ規格の通信により、スマートフォン３０１から設定情報を取得する。設定情報は、音声データの再生において再生部２０に適用される。設定情報は、例えば、音声データに対するレベル調整量、イコライズ情報、仮想音源の位置情報、及び音場効果の種類（コンサートホール及び屋外会場等）を含む。
【００２６】
再生要求取得部１２は、スマートフォン３０１から再生要求を取得する。再生要求は、音声データの再生を要求する情報である。再生要求は、再生を要求する音声データを特定するための情報として楽曲名を含む。
【００２７】
キュー管理部１３は、複数の再生要求の待ち行列を示すキュー情報を管理する。キュー管理部１３は、キュー情報の管理のために、キュー情報を記憶する記憶部１４を備える。
【００２８】
図４は、キュー情報の一例を示す図である。キュー情報では、図４に示すように、再生要求に含まれる楽曲名と、設定情報と、端末情報とが対応付けられる。端末情報は、各スマートフォン３０１，３０２，及び３０３のネットワークアドレスと、端末名とを含む。ただし、端末名は説明のための情報でありキュー情報に必須ではない。また、端末情報は、再生要求を送信したスマートフォンを特定できればよく、例えばスマートフォンの識別名であっても構わない。
【００２９】
キュー管理部１３は、再生要求取得部１２から楽曲名と端末情報とを取得し、設定情報取得部１１から設定情報を取得する。キュー管理部１３は、取得した楽曲名と、取得した設定情報と、ネットワークアドレスとを対応させた情報をキュー情報の最後尾に追加することで、記憶部１４のキュー情報を更新する。キュー管理部１３は、楽曲名を取得し、かつ設定情報を取得しない場合、設定情報なしに楽曲名とネットワークアドレスとを対応付けた情報をキュー情報の最後尾に追加する。なお、ネットワークアドレスは、再生要求取得部１２が各スマートフォン３０１，３０２，及び３０３との通信時に使用する通信制御情報から求められる。
【００３０】
図３に戻り、記憶部１４は、キュー情報に含まれる設定情報とは別の設定情報を記憶する。以下、キュー情報に含まれる設定情報とは別の設定情報を共通設定情報（第２の設定情報に相当する）と称し、キュー情報に含まれる各設定情報を優先設定情報と称す。ＡＶレシーバ１００は、例えば、ＡＶレシーバ１００のユーザインターフェースで受け付けた設定操作の入力に基づいて共通設定情報を記憶部１４に記憶させる。
【００３１】
キュー管理部１３は、楽曲名とネットワークアドレスとをコンテンツ取得部１０へ出力する。コンテンツ取得部１０は、キュー管理部１３から出力された楽曲名に示す音声データをネットワークアドレスに対応する端末から取得する。具体的には、コンテンツ取得部１０は、無線ＬＡＮ規格の通信により、当該楽曲名に対応付けられたネットワークアドレス宛（スマートフォン３０１）へ再生送信指示を送り、当該ネットワークアドレスから音声データを取得する。コンテンツ取得部１０は、取得した音声データ、を再生部２０へ出力する。なお、ＡＶレシーバ１００は、ディスプレイを備え、スマートフォン３０１から取得した楽曲データの付加データに含まれる楽曲関連情報（アーティスト名等）を当該ディスプレイに表示してもよい。
【００３２】
キュー管理部１３は、共通設定情報又は優先設定情報のいずれかの設定情報を再生部２０へ出力する。再生部２０は、キュー管理部１３から出力された設定情報に従って、コンテンツ取得部１０から出力された音声データを再生する。具体的には、再生部２０は、音響処理部２１と、増幅部２２とを備えている。コンテンツ取得部１０から出力された音声データは、音響処理部２１に入力される。音響処理部２１は、キュー管理部１３から出力された設定情報に従って各種音響処理を行う。音響処理部２１による音響処理後の音声データは、増幅部２２に入力される。増幅部２２は、入力された音声データをアナログ変換し、Ｌチャンネル用のアナログ信号と、Ｒチャンネル用のアナログ信号を生成する。増幅部２２は、キュー管理部１３から出力された設定情報に従って、生成した各アナログ信号のレベルを調整する。増幅部２２は、レベル調整後のＬ，及びＲチャンネル用の音声信号をスピーカ２００Ｌ，及び２００Ｒへ出力する。
【００３３】
次に、ＡＶレシーバ１００及びスマートフォン３０１の動作について、図５及び図６を用いて説明する。図５及び図６は、それぞれＡＶレシーバ１００及びスマートフォン３０１の動作を示すフローチャートである。図５のフローチャートは、楽曲名及び設定情報をキュー情報へ追加する動作を示し、図６のフローチャートは、キュー情報に基づいて音声データを再生する動作を示す。
【００３４】
図５に示すように、ＡＶレシーバ１００及びスマートフォン３０１は、通信を確立するためにネゴシエーションを行う（Ｓ０）。ネゴシエーションは、例えば、スマートフォン３０１が接続要求をＡＶレシーバ１００へ送信し、ＡＶレシーバ１００が通信可能の旨をスマートフォン３０１へ返信することで行われる。なお、ＡＶレシーバ１００は、ネゴシエーション時にスマートフォン３０１のネットワークアドレスを取得する。
【００３５】
スマートフォン３０１は、ネゴシエーションが終わると（Ｓ０）、楽曲名を含む再生要求をＡＶレシーバ１００へ送信する（Ｓ１）。ＡＶレシーバ１００の再生要求取得部１２は、スマートフォン３０１から再生要求を受信する（Ｓ１１）。
【００３６】
スマートフォン３０１は、再生要求を送信すると（Ｓ１）、設定情報をＡＶレシーバ１００へ送信する（Ｓ２）。ＡＶレシーバ１００の設定情報取得部１１は、スマートフォン３０１から設定情報を受信する（Ｓ１２）。
【００３７】
ＡＶレシーバ１００のキュー管理部１３は、ステップＳ１１で取得した再生要求に含まれる楽曲名と、ステップＳ１２で取得した設定情報と、当該再生要求及び当該設定情報を送信したスマートフォンのネットワークアドレスとを対応付けた情報をキュー情報の最後尾に追加する（Ｓ１３）。
【００３８】
ＡＶレシーバ１００は、各スマートフォン３０１，３０２，及び３０３と共に、ステップＳ０〜Ｓ１３の処理を行うことにより、記憶部１４のキュー情報を更新する。
【００３９】
次に、キュー情報に基づく楽曲データの再生について、図６に示すように、キュー管理部１３は、再生部２０で音声データが再生中であるか否か判断する（Ｓ２１）。音声データが再生中である場合（Ｓ２１：ＹＥＳ）、キュー管理部１３は、音声データの再生が終わるまで待機する。
【００４０】
キュー管理部１３は、音声データの再生がされていない場合（Ｓ２１：ＮＯ）、再生対象とする楽曲を決定する（Ｓ２２）。具体的には、キュー管理部１３は、キュー情報の先頭の情報（少なくとも楽曲名、及びネットワークアドレスを含む）を取り出す。そして、キュー管理部１３は、取り出した情報に含まれる楽曲名に示す曲を再生対象とする楽曲として決定する。
【００４１】
再生対象となる楽曲が決定されると（Ｓ２２）、ＡＶレシーバ１００は、当該楽曲の音声データの再生指示の要求をスマートフォン３０１へ送信する（Ｓ２３）。
【００４２】
スマートフォン３０１は、音声データの再生指示の要求を受信すると（Ｓ３１）、当該要求に含まれる楽曲名に対応する音声データの再生を開始し、再生された音声データをパケット化してコンテンツ取得部１０へ送信する（Ｓ３２）。
【００４３】
コンテンツ取得部１０は、スマートフォン３０１から音声データパケットを受信する（Ｓ２４）。受信された音声データパケットから音声データが復元され、再生部２０へ出力される。
【００４４】
キュー管理部１３は、コンテンツ取得部１０がスマートフォン３０１から音声データを受信すると、優先設定情報があるか否かを判断する（Ｓ２５）。具体的には、ステップＳ２２でキュー情報から取り出した情報に設定情報が含まれる場合、スマートフォン３０１から取得した音声データに対応する優先設定情報があると判断する（Ｓ２５：ＹＥＳ）。
【００４５】
キュー管理部１３は、優先設定情報があると判断すると（Ｓ２５：ＹＥＳ）、優先設定情報を再生部２０へ出力することで、再生部２０に優先設定を適用する（Ｓ２６）。キュー管理部１３は、優先設定情報がないと判断すると（Ｓ２５：ＮＯ）、記憶部１４から読み出した共通設定を再生部２０に適用する（Ｓ２７）。
【００４６】
再生部２０は、優先設定又は共通設定に従って、コンテンツ取得部１０から出力された音声データを再生する（Ｓ２８）。
【００４７】
例えば、図４に示す例において、音響処理部２１は、スマートフォン３０１から指定された楽曲名１の音声データに対して、コンサートホールの反射音を模擬した音をＦＩＲ（Ｆｉｎｉｔｅ  Ｉｍｐｕｌｓｅ  Ｒｅｓｐｏｎｓｅ）フィルタで生成する。音響処理部２１は、ＦＩＲフィルタで生成した反射音をＬ及びＲチャンネルの音声信号に分配する。ただし、ＦＩＲフィルタの係数（遅延量及びレベル）、生成した反射音のＬ及びＲチャンネルへの分配比率、及び増幅部２２の増幅率は、キュー管理部１３が出力する設定情報に含まれる。各チャンネルに分配された音声信号は、増幅部２２で増幅された後、スピーカ２００Ｌ及びスピーカ２００Ｒへ出力される。これにより、ＡＶレシーバ１００は、スマートフォン３０１の利用者が指定した楽曲（楽曲名１）がコンサートホールで演じられていると聴取者に感じさせる。
【００４８】
楽曲名１に示す音声データの再生が終わると、ＡＶレシーバ１００は、スマートフォン３０２から指定された楽曲名２の音声データの再生開始をスマートフォン３０２へ指示し、その指示を受けてスマートフォン３０２が再生開始した音声データの受信を開始し、音響処理部２１は、受信した音声データに対して、屋外会場の反射音を模擬した音をＦＩＲフィルタで生成する。これにより、ＡＶレシーバ１００は、スマートフォン３０２の利用者が指定した曲が屋外会場で演じられていると聴取者に感じさせる。この場合も、ＦＩＲフィルタの係数、反射音のＬ及びＲチャンネルへの分配比率、及び増幅部２２の増幅率は、キュー管理部１３が出力する設定情報に含まれる。例えば、楽曲名２に対応する設定情報のＦＩＲフィルタ係数は、楽曲名１に対応するＦＩＲフィルタに比べてレベルが小さい。
【００４９】
楽曲名２に示す音声データの再生が終わると、ＡＶレシーバ１００は、音響処理部２１は、スマートフォン３０１から指定された楽曲名３の音声データの再生開始をスマートフォン３０１に指示し、その指示を受けてスマートフォン３０１が再生開始した音声データの受信を開始し、音響処理部２１は、受信した音声データに対して、仮想音源を定位させる処理を行う。例えば、音響処理部２１は、頭部伝達関数に基づく音声信号の畳み込み処理を行う。ただし、頭部伝達関数のパラメータは、キュー管理部１３が出力する設定情報に含まれる。これにより、ＡＶレシーバ１００は、スマートフォン３０１の利用者が指定した楽曲がスピーカ２００Ｌ，２００Ｒの設置位置以外からも放音されていると聴取者に感じさせる。
【００５０】
以上のように、ＡＶレシーバ１００は、各スマートフォン３０１，３０２，及び３０３から送信された設定情報に従って、各スマートフォンで再生された音声データの再生態様を変更して再生する。従って、ＡＶレシーバ１００は、各スマートフォン３０１，３０２，及び３０３の各利用者・各機器に応じた再生態様で、各スマートフォン３０１，３０２，及び３０３から送信された音声データを再生することができる。
【００５１】
また、ＡＶレシーバ１００は、自装置に記憶する共通設定情報を変更せずに、各利用者の設定情報に応じてコンテンツの再生態様を変更する。従って、ＡＶレシーバ１００は、コンテンツの再生態様が各利用者によって変更されても、自装置が記憶する共通設定情報を維持することで、各スマートフォン３０１，３０２，及び３０３の各利用者がＡＶレシーバ１００の利用後に設定を元に戻す必要はない。
【００５２】
また、ＡＶレシーバ１００は、キュー情報において楽曲毎に設定情報が対応付けられるので、楽曲毎に再生態様を変更することができる。ただし、キュー情報において楽曲毎に設定情報が対応付けられることは本実施形態において必須ではない。設定情報がスマートフォン毎に対応付けられる態様であっても構わない。
【００５３】
また、設定情報は、各スマートフォン３０１，３０２，及び３０３の各利用者に対応付けられてもよい。さらに、利用者毎の設定情報と、楽曲毎の設定情報とが存在する場合、ＡＶレシーバ１００は、楽曲毎の設定情報を優先的に使用してもよい。具体的には、キュー管理部１３は、楽曲毎に設定情報が存在する場合、該楽曲毎の設定情報を再生部２０へ出力し、楽曲毎に設定情報が存在せず、スマートフォン毎の設定情報が存在する場合（不図示）、該スマートフォン毎の設定情報を再生部２０へ出力する。
【００５４】
また、ＡＶレシーバ１００は、スマートフォンから設定情報が送信されなくても、共通設定に従って楽曲データを再生するので、何ら設定のない状態で楽曲データが再生されることを防ぐことができる。
【００５５】
なお、コンテンツ取得部１０が映像データを含むコンテンツデータを取得する場合、ＡＶレシーバ１００は、利用者に応じた設定情報に従って、例えば映像のコントラスト等を変更し、ＨＤＭＩ４から外部の表示装置に対して映像処理後の映像データを出力する。これにより、ＡＶレシーバ１００は、利用者に応じた再生態様で、映像データを再生することができる。
【００５６】
また、ＡＶレシーバ１００は、無線ＬＡＮ規格の通信によって各種情報（音声データ及び設定情報）を受信するに限らず、他の無線規格（例えばＢｌｕｅｔｏｏｔｈ（登録商標）規格）の無線通信によって各種情報を受信してもよい。さらに、ＡＶレシーバ１００は、無線通信に限らず、有線通信（例えばＨＤＭＩ４に接続されるＨＤＭＩケーブルを介した通信）で各種情報を受信してもよい。
【００５７】
また、設定情報の送受信のタイミングは、図５に示すタイミングに限らず、ネゴシエーション後で音声データの再生前であればどのタイミングでもよい。同様に、音声データの送受信のタイミングもネゴシエーション後で音声データの再生前であればどのタイミングでもよい。
【００５８】
また、コンテンツ再生システム９００が複数のＡＶレシーバ１００を備えれば、スマートフォンは、複数のＡＶレシーバ１００へ同一の設定情報を送信することにより、例えば第１のＡＶレシーバ１００における再生態様を第２のＡＶレシーバ１００において再現させることができる。これにより、スマートフォンの利用者は、各ＡＶレシーバ１００の設置場所によらず、所望する同一の再生態様で楽曲データを各ＡＶレシーバ１００に再生させることができる。
【００５９】
さらに、コンテンツ再生システム９００が複数のＡＶレシーバ１００を備える場合、次のような再生も可能である。
【００６０】
図７（Ａ）は、自宅９０１におけるＡＶレシーバ１００Ａ１の設置を示す平面模式図であり、図７（Ｂ）は、外出先９０２におけるＡＶレシーバ１００Ａ２の設置を示す平面模式図である。
【００６１】
図７（Ａ）及び図７（Ｂ）に示すように、自宅９０１及び外出先９０２は、音響空間の形状と、接続されるスピーカの接続態様（台数及び位置）と、が異なる。
【００６２】
図７（Ａ）及び図７（Ｂ）に示す例では、音響空間の形状、及びスピーカの接続態様に影響される設定情報はＡＶレシーバ１００Ａ１，及び１００Ａ２の記憶部１４に記憶され、音響空間の形状、及びスピーカの接続態様に影響されない設定情報は、スマートフォン３０１からＡＶレシーバ１００Ａ１，及び１００Ａ２へ送信される。ＡＶレシーバ１００Ａ１及びＡＶレシーバ１００Ａ２のその他の構成は、ＡＶレシーバ１００と同じである。
【００６３】
例えば、音響空間の形状、及びスピーカの接続態様に影響される設定情報は、ＦＩＲフィルタの係数、各チャンネルへの分配比率、及び頭部伝達関数のパラメータを含む。音響空間の形状、及びスピーカの接続態様に影響されない設定情報は、音場効果の種類、仮想音源の位置、イコライズ情報、及びボリューム情報を含む。
【００６４】
図７（Ａ）に示す例では、自宅９０１に設置されたＡＶレシーバ１００Ａ１は、自宅９０１の音響空間の形状、及びＡＶレシーバ１００Ａ１に接続されるスピーカ２００Ｌ，及び２００Ｒの接続態様に対応する設定情報であって、ＦＩＲフィルタの係数、及び各チャンネルへの分配比率等の設定情報を記憶部１４に記憶済みである。ここで、ある音声データに対応して、音場効果の種類がコンサートホールである旨の設定情報がスマートフォン３０１から送信されると、スマートフォン側では自動的に当該音声データに対応して音場効果の種類がコンサートホールである旨の設定情報が関連付けられ、スマートフォン側に記憶される。ＡＶレシーバ１００Ａ１の音響処理部２１は、自宅９０１の音場をコンサートホールの音場に模擬するために、反射音を生成する。具体的には、音響処理部２１は、コンサートホールの音場効果の種類に対応するＦＩＲフィルタの係数、及び各チャンネルへの分配比率等の設定情報を記憶部１４から読み出し、読み出した設定情報を再生部２０へ適用して、音声データを再生する。
【００６５】
図７（Ｂ）に示す例では、外出先９０２に設置されたＡＶレシーバ１００Ａ２は、外出先９０２の音響空間の形状、及びＡＶレシーバ１００Ａ２に接続されるスピーカ２００Ｌ，２００Ｒ，２００Ｃ，２００ＳＬ，及び２００ＳＲの接続態様に対応する設定情報であって、ＦＩＲフィルタの係数、及び各チャンネルへの分配比率等の設定情報を記憶部１４に記憶済みである。ここで、スマートフォン３０１で音声データの再生が指定されると、上述のように自宅９０１において、その音声データに自動的に関連付けられて記憶された音場効果の種類がコンサートホールである旨の設定情報がスマートフォン３０１から送信される。すると、ＡＶレシーバ１００Ａ２の音響処理部２１は、外出先９０２の音場をコンサートホールの音場に模擬するために、反射音を生成する。すなわち、自宅９０１で送信した設定情報と同一の設定情報をスマートフォン３０１が外出先９０２のＡＶレシーバ１００Ａ２へ送信するので、ＡＶレシーバ１００Ａ２の音響処理部２１は、ＦＩＲフィルタの係数、及び各チャンネルへの分配比率等の設定情報を記憶部１４から読み出し、読み出した設定情報を再生部２０に適用して、音声データを再生する。
【００６６】
以上のように、スマートフォン３０１は、同一の音場効果の種類を送信するのみで、ＡＶレシーバ１００Ａ１及びＡＶレシーバ１００Ａ２のいずれに対しても、音響空間の形状及びスピーカの接続態様に応じた音場効果を音声データの音に付与させることができる。
【００６７】
次に、実施形態２に係るコンテンツ再生システム９００Ｂについて図８及び図９を用いて説明する。図８は、コンテンツ再生システム９００Ｂの構成の一部を示す機能ブロック図である。図９は、ＡＶレシーバ１００Ｂとスマートフォン３０１，及び３０２との動作を示すフローチャートである。図９に示すフローチャートは、スマートフォン３０２の動作が追加される点、及びＡＶレシーバ１００ＢがステップＳ２９の処理を行う点において、図６に示すフローチャートと相違する。
【００６８】
コンテンツ再生システム９００Ｂでは、音声データの再生中に再生部２０に適用された設定情報が、当該楽曲データを送信したスマートフォンと異なるスマートフォンに送信される。
【００６９】
より具体的には、図８に示すように、コンテンツ再生システム９００Ｂは、ＡＶレシーバ１００Ｂのキュー管理部１３Ｂが設定情報出力部１５を備える点においてコンテンツ再生システム９００と相違する。コンテンツ再生システム９００と重複する構成の説明は省略する。
【００７０】
図９に示すように、再生部２０が音声データを再生し（Ｓ２８）、スマートフォン３０２が設定情報の取得の要求をＡＶレシーバ１００へ送信すると（Ｓ４１）、設定情報出力部１５は、当該設定情報の取得の要求を受信し（Ｓ２９）、再生部２０による再生中の音声データに対応する楽曲名と、設定情報と、を設定情報取得要求のあったスマートフォン３０２へ送信する（Ｓ３０）。スマートフォン３０２は、ＡＶレシーバ１００Ｂから楽曲名と、設定情報とを受信する（Ｓ４２）。すなわち、スマートフォン３０２は、スマートフォン３０１が再生させた楽曲名と、スマートフォン３０１が指定した設定情報とをＡＶレシーバ１００Ｂから取得し、自身の楽曲データベースに楽曲名と関連付けて受信した設定情報を記憶しておくことができる。これにより、スマートフォン３０２の利用者は、スマートフォン３０１の利用者が所望とする設定を、楽曲名と共に得ることができ、例えば、スマートフォン３０２の利用者は、自ら指定するコンテンツをＡＶレシーバ１００に再生させる際に、スマートフォン３０１の利用者が設定した設定情報をＡＶレシーバ１００に適用することもできる。
【００７１】
なお、受信した設定情報は楽曲名と関連付けて記憶する他、プリセット再生情報の１つに登録するなどして、以後他の曲の再生にも用いるようにしてもよい。
【００７２】
上述の例は、コンテンツ再生装置として音声信号を外部のスピーカへ出力するＡＶレシーバを用いて説明したが、コンテンツ再生装置は、スピーカを備えるものであってもかまわない。また、コンテンツ再生装置は、室内に設置されるものに限らず、例えば車内に設置されるカーオーディオ装置であってもかまわない。
【符号の説明】
【００７３】
１…ＣＰＵ
２…メモリ
３…ＤＳＰ
４…ＨＤＭＩ
５…無線モジュール
１０…コンテンツ取得部
１１…設定情報取得部
１２…再生要求取得部
１３…キュー管理部
１３Ｂ…キュー管理部
１４…記憶部
１５…設定情報出力部
２０…再生部
２１…音響処理部
２２…増幅部
３１…タッチパネル
３２…ディスプレイ
３３…プロセッサ
３４…メモリ
３５…無線モジュール
１００，１００Ａ１，１００Ａ２，１００Ｂ…ＡＶレシーバ
２００Ｌ，２００Ｒ，２００Ｃ，２００ＳＬ，２００ＳＲ…スピーカ
３０１，３０２，３０３…スマートフォン
９００，９００Ｂ…コンテンツ再生システム
【図１】
2016126222.tif 000003
【図２】
2016126222.tif 000004
【図３】
2016126222.tif 000005
【図４】
2016126222.tif 000006
【図５】
2016126222.tif 000007
【図６】
2016126222.tif 000008
【図７】
2016126222.tif 000009
【図８】
2016126222.tif 000010
【図９】
2016126222.tif 000011